(57)【要約】【課題】可能な限り清掃モード時と非清掃モード時とで作業を完全に中断することを必要としない情報表示装置を提供する。【解決手段】情報表示装置は、表示部と、表示部と一体的に構成され、表示部の表示領域に対応付けられた入力領域を有するタッチパネルと、入力領域に対する使用者の入力に基づいて、入力領域のうちで使用者の入力が行われた部分領域を判定し、部分領域を特定する信号を生成する領域判定部と、表示部を制御して不透明ではない透明度を有するパターンを表示させる制御部とを備えている。入力領域の清掃を行うための清掃モード時において、表示部は、パターンを表示領域に表示し、制御部は、部分領域を特定する信号に基づいて、部分領域上のパターンの透明度を上げる。【選択図】図２
2010061654.tif 000002
【特許請求の範囲】
【請求項１】
表示部と、
前記表示部と一体的に構成され、前記表示部の表示領域に対応付けられた入力領域を有するタッチパネルと、
前記入力領域に対する使用者の入力に基づいて、前記入力領域のうちで前記使用者の入力が行われた部分領域を判定し、前記部分領域を特定する信号を生成する領域判定部と、
前記表示部を制御して、不透明ではない透明度を有するパターンを表示させる制御部と
を備え、前記入力領域の清掃を行うための清掃モード時において、
前記表示部は、前記パターンを前記表示領域に表示し、
前記制御部は、前記部分領域を特定する信号に基づいて、前記部分領域上のパターンの透明度を上げる、情報表示装置。
【請求項２】
前記制御部は運転時間の積算値を保持しており、
前記積算値が予め定められた値を超えたときは、前記制御部は、前記表示領域に前記パターンを表示させる、請求項１に記載の情報表示装置。
【請求項３】
前記積算値が予め定められた値を超えたときは、前記制御部は、前記表示部を制御して、前記清掃モードへの移行を示すメッセージを表示させ、その後、前記表示部に前記パターンを表示させる、請求項２に記載の情報表示装置。
【請求項４】
前記制御部は、起動時からの動作時間、前回の清掃モードの終了時からの経過時間、および、複数の使用者が個別にログオンすることによって利用可能な場合におけるログオン時からの経過時間の少なくとも１つを、前記運転時間の積算値として保持する、請求項２に記載の情報表示装置。
【請求項５】
前記制御部は、使用者の変更を検知した時、前記制御部は、前記表示部に前記パターンを表示させる、請求項１に記載の情報表示装置。
【請求項６】
複数の使用者が個別にログオンすることによって前記情報表示装置を利用可能な場合において、
前記制御部は、使用者のログオン、不使用時に設置されるクレードルからの取り外しの検知、または、バッテリの交換の検知により、前記使用者の変更を検知する、請求項５に記載の情報表示装置。
【請求項７】
前記表示部は、前記清掃モード移行時に前記表示部の表示領域に表示されていた画像上に前記パターンを重畳し、前記パターンを通して前記画像を視認可能に表示する、請求項１に記載の情報表示装置。
【請求項８】
前記制御部は、前記入力領域に対する使用者の入力に基づいて動作するアプリケーションプログラムを実行しており、
前記表示部は、前記清掃モード移行時に表示されていた、前記アプリケーションプログラムの実行画面上に前記パターンを重畳する、請求項７に記載の情報表示装置。
【請求項９】
前記清掃モード時には、前記制御部は、前記使用者の入力に基づく前記アプリケーションプログラムの動作を禁止する、請求項８に記載の情報表示装置。
【請求項１０】
前記清掃モード時とは異なる非清掃モード時において、前記使用者の入力が行われた度数を、前記部分領域ごとに計数する計数部をさらに備え、
前記清掃モードの開始時において、前記制御部は、前記部分領域ごとに計数された度数に応じて、前記表示領域に最初に表示される前記パターンの透明度を、部分領域ごとに変化させる、請求項１に記載の情報表示装置。
【請求項１１】
前記計数部によって計数された前記部分領域ごとの度数の情報を記憶する記憶部をさらに備えた、請求項１０に記載の情報表示装置。
【請求項１２】
前記入力領域は、第１部分領域と第２部分領域とを含み、
前記第１部分領域に対して前記使用者の入力が行われ、前記第２部分領域に対しては前記使用者の入力が行われていないときにおいて、
前記透明度が上げられた前記第１部分領域上のパターン、および、前記透明度が上げられていない前記第２部分領域上のパターンは、互いに識別可能である、請求項１に記載の情報表示装置。
【請求項１３】
前記表示領域の全体に対する、前記パターンの透明度が上げられた部分領域の割合が予め定められた値以上に高くなったとき、
前記制御部は前記清掃モードを終了する、請求項１に記載の情報表示装置。
【請求項１４】
前記清掃モードに移行するごとに、各清掃モードが終了したか否かに関する情報を記憶する記憶部をさらに備えた、請求項１３に記載の情報表示装置。
【発明の詳細な説明】
【技術分野】
【０００１】
本発明は、表示部と一体的に構成されたタッチパネルを有する情報表示装置に関する。
【背景技術】
【０００２】
近年、ＰＤＡやタブレットパソコン等の携帯型の情報端末装置が急速に普及しつつある。このような携帯型の情報端末装置においては、使用性や小型軽量化の要求からキーボードやマウスなどの使用が難しく、このため、表示部（たとえば液晶パネル）に透明の薄膜電極を配置したタッチパネル（「タッチスクリーン」ともいう）を設け、ペンや指での入力操作を可能にしたものが多い。
【０００３】
指入力は簡便であるが表示部が汚れ、表示部の視認性が低下する。また、表示部の汚れは雑菌を含み不衛生である。そのため、情報端末装置を病院などの医療機関で使用する場合は定期的に表示部を清掃・殺菌する必要がある。
【０００４】
しかしながら、タッチパネル部は透明のシート状であるため汚れが目立ちにくく、使用者にとって清掃を実施するタイミングがわかりにくい。また清掃を行う場合において、汚れの拭き取りができたかどうかがわかりにくい。
【０００５】
そこで、例えば特許文献１に示すような方法が提案されている。
【０００６】
特許文献１では、計数手段でタッチパネルの指触回数をカウントし、検知した指触回数が所定値に達したときに清掃モードに移行する技術が開示されている。
【０００７】
清掃モードでは、表示部の全域を単一色で表示し、拭き取られた部分を検知して消去もしくは他の色に変色させることで、拭き取られた部分を確認できる。
【先行技術文献】
【特許文献】
【０００８】
【特許文献１】特開２００４−２６５３８３号公報
【発明の概要】
【発明が解決しようとする課題】
【０００９】
しかしながら、前述の特許文献１によれば、清掃モード開始時にはそれまでの画像が表示されているものの、清掃が進むにつれてその画像が他の色に塗りつぶされ消されてしまう。または、清掃モード開始時に、表示部の全域が単一色で塗りつぶされてしまう。それまで表示されていた画面が消去されるため、たとえば清掃モード前にアプリケーションで作業を行っていたとしても、その作業を完全に中断する必要がある。
【００１０】
使用者は、通常操作を行うモードと清掃モードとを別個の動作モードとして認識して切り替えなければならないため、操作開始後に清掃を行うべきであることを認識しても、清掃モードへの切り替えを躊躇してしまう。
【００１１】
本発明は、上記課題を解決するためになされたものであって、可能な限り清掃モード時と非清掃モード時とで作業を完全に中断することを必要としない装置を提供することを目的とする。
【課題を解決するための手段】
【００１２】
本発明による情報表示装置は、表示部と、前記表示部と一体的に構成され、前記表示部の表示領域に対応付けられた入力領域を有するタッチパネルと、前記入力領域に対する使用者の入力に基づいて、前記入力領域のうちで前記使用者の入力が行われた部分領域を判定し、前記部分領域を特定する信号を生成する領域判定部と、前記表示部を制御して、不透明ではない透明度を有するパターンを表示させる制御部とを備え、前記入力領域の清掃を行うための清掃モード時において、前記表示部は、前記パターンを前記表示領域に表示し、前記制御部は、前記部分領域を特定する信号に基づいて、前記部分領域上のパターンの透明度を上げる。
【００１３】
前記制御部は運転時間の積算値を保持しており、前記積算値が予め定められた値を超えたときは、前記制御部は、前記表示領域に前記パターンを表示させてもよい。
【００１４】
前記積算値が予め定められた値を超えたときは、前記制御部は、前記表示部を制御して、前記清掃モードへの移行を示すメッセージを表示させ、その後、前記表示部に前記パターンを表示させてもよい。
【００１５】
前記制御部は、起動時からの動作時間、前回の清掃モードの終了時からの経過時間、および、複数の使用者が個別にログオンすることによって利用可能な場合におけるログオン時からの経過時間の少なくとも１つを、前記運転時間の積算値として保持してもよい。
【００１６】
前記制御部は、使用者の変更を検知した時、前記制御部は、前記表示部に前記パターンを表示させてもよい。
【００１７】
複数の使用者が個別にログオンすることによって前記情報表示装置を利用可能な場合において、前記制御部は、使用者のログオン、不使用時に設置されるクレードルからの取り外しの検知、または、バッテリの交換の検知により、前記使用者の変更を検知してもよい。
【００１８】
前記表示部は、前記清掃モード移行時に前記表示部の表示領域に表示されていた画像上に前記パターンを重畳し、前記パターンを通して前記画像を視認可能に表示してもよい。
【００１９】
前記制御部は、前記入力領域に対する使用者の入力に基づいて動作するアプリケーションプログラムを実行しており、前記表示部は、前記清掃モード移行時に表示されていた、前記アプリケーションプログラムの実行画面上に前記パターンを重畳してもよい。
【００２０】
前記清掃モード時には、前記制御部は、前記使用者の入力に基づく前記アプリケーションプログラムの動作を禁止してもよい。
【００２１】
前記清掃モード時とは異なる非清掃モード時において、前記使用者の入力が行われた度数を、前記部分領域ごとに計数する計数部をさらに備え、前記清掃モードの開始時において、前記制御部は、前記部分領域ごとに計数された度数に応じて、前記表示領域に最初に表示される前記パターンの透明度を、部分領域ごとに変化させてもよい。
【００２２】
前記情報表示装置は、前記計数部によって計数された前記部分領域ごとの度数の情報を記憶する記憶部をさらに備えていてもよい。
【００２３】
前記入力領域は、第１部分領域と第２部分領域とを含み、前記第１部分領域に対して前記使用者の入力が行われ、前記第２部分領域に対しては前記使用者の入力が行われていないときにおいて、前記透明度が上げられた前記第１部分領域上のパターン、および、前記透明度が上げられていない前記第２部分領域上のパターンは、互いに識別可能であってもよい。
【００２４】
前記表示領域の全体に対する、前記パターンの透明度が上げられた部分領域の割合が予め定められた値以上に高くなったとき、前記制御部は前記清掃モードを終了してもよい。
【００２５】
前記情報表示装置は、前記清掃モードに移行するごとに、各清掃モードが終了したか否かに関する情報を記憶する記憶部をさらに備えていてもよい。
【発明の効果】
【００２６】
本発明によれば、タッチパネルの汚れを均一に清掃できるとともに、清掃モード時と非清掃モード時とで作業を完全に中断することを必要としない情報表示装置を提供することができる。
【図面の簡単な説明】
【００２７】
【図１】実施形態１によるタブレット型の情報端末装置１の外観図である。
【図２】実施形態１による情報端末装置１の電気的構成を示すブロック図である。
【図３】実施形態１における情報端末装置１のタッチパネル３の構成例を示す図である。
【図４】実施形態１における情報端末装置１の通常使用時（通常モード時）の動作を示すフローチャートである。
【図５】表示部２に表示されたメッセージの表示例を示す図である。
【図６】実施形態１による情報端末装置１の清掃モード時の一連の動作を示すフローチャートである。
【図７】アプリケーションプログラムの操作が禁止されたときの表示部２の表示例を示す図である。
【図８】（ａ）は汚れパターンの一例を示す図であり、（ｂ）は図７のアプリケーションプログラムの実行画面に（ａ）の汚れパターンを重ねた図である。
【図９】清掃中の表示例を示す図である。
【図１０】清掃終了時に表示部２に表示されるメッセージの表示例を示す図である。
【図１１】アプリケーションプログラムの動作が再開された表示部の状態を示す図である。
【図１２】実施形態２による情報端末装置１の清掃モード時の一連の動作を示すフローチャートである。
【図１３】（ａ）は実施形態２による汚れパターンを示す図であり、（ｂ）は図７のアプリケーションプログラムの実行画面に（ａ）の汚れパターンを重ねた図である。
【図１４】清掃中の表示例を示す図である。
【発明を実施するための形態】
【００２８】
以下、添付の図面を参照しながら、本発明による情報表示装置の実施形態を説明する。本明細書では、情報表示装置の一例としてタブレット型の情報表示装置を説明する。なお、本明細書では、外部と通信する機能を有する情報表示装置を「情報端末装置」とも呼ぶ。
【００２９】
（実施形態１）
図１は、本実施形態によるタブレット型の情報端末装置１の外観図である。本実施形態においては、情報端末装置１は、たとえば病院の情報システムに無線または有線で接続され、医師、看護師等が患者のカルテの確認、診察予定の確認などを行うために利用される。
【００３０】
情報端末装置１は、表示部２と、タッチパネル３と、電源スイッチ４とを備えている。
【００３１】
表示部２は、たとえば多数の液晶表示素子を備えたディスプレイ（ＬＣＤ）である。
【００３２】
タッチパネル３は表示部２と一体的に構成されており、表示部２の使用者側の表面上に配置されている。タッチパネル３は入力領域を有しており、使用者が指などで入力領域の一部に接触することによって入力を行うことを可能とする。
【００３３】
たとえば、表示部２の表示領域とタッチパネル３の入力領域とが重ね合わされている場合、表示部２の表示領域とタッチパネル３の入力位置とを対応付けることができる。入力領域のどの部分領域に使用者の指が接触したかを検知することにより、タッチパネル３はその部分領域を特定する信号を生成する。この信号に基づいて、情報端末装置１は表示部２の表示領域のどの部分に使用者が触れたかを特定し、その表示領域に表示されている部分が選択されたとして処理を行う。なお、本実施形態においては、電荷の変化を検知する静電容量方式のタッチパネル３を採用している。
【００３４】
電源スイッチ４は、筐体の一部に設けられている。
【００３５】
通常、使用者は、電源スイッチ４をＯＮにし、片手で本体を持ち、他方の手の指でタッチパネル３にタッチして入力操作を行うことにより、情報端末装置１を使用する。
【００３６】
図２は本実施形態による情報端末装置１の電気的構成を示すブロック図である。図２において、ＣＰＵ１１は、情報端末装置１の処理全体を制御するプロセッサであり、相互に情報を交換するためのシステムバス１２を介してＨＤＤ（ハードディスクドライブ）１３に記憶されたＯＳ（オペレーティングシステム）および各種アプリケーションプログラムをメインメモリ（ＲＡＭ）１４にロードして実行する。
【００３７】
なお、ＣＰＵ１１は、ＲＡＭ上のプログラムを実行することにより、後述の汚れパターン作成部１１ａとして機能する。
【００３８】
ディスプレイコントローラ１５は、ＯＳやアプリケーションプログラムにより作成された画像データを、表示信号に変換して表示部（ＬＣＤ）２に出力する。
【００３９】
タッチパネルコントローラ１６は、タッチパネル３の操作を検知し、直接に、もしくは後述する処理を行って、ＣＰＵ１１に伝達する。タッチパネルコントローラ１６は、後述するタッチ領域判定部１６ａと、タッチ度数計数部１６ｂと、タッチ度数記憶部１６ｃとして機能する。
【００４０】
ネットワークインタフェース１７は、ＬＡＮ（ローカルエリアネットワーク）に接続するための端子や無線通信ユニットである。このネットワークインタフェース１７を通じてＬＡＮに接続されたデータサーバ（図示しない）から情報を収集する。または、後述する清掃モードが完了したか否かを示すログを、ＬＡＮに接続されたＰＣに対して出力する。
【００４１】
電源制御部１８は、電源スイッチ４の操作で各部に電源を供給し、あるいは遮断する。
【００４２】
次に、本実施形態におけるタッチパネル３の操作の例について説明する。
【００４３】
図３は、本実施形態における情報端末装置１のタッチパネル３の構成例を示す図である。上述のように、本実施形態においては、情報端末装置１は病院の情報システムにおいて利用される。
【００４４】
表示部２の表示領域上には、病院情報システムのサービスメニューを選択する操作キー３ａ〜３ｃが示されている。図３は、使用者が、操作キー３ｃが表示されたタッチパネル３にタッチして、「カルテ」のメニューが選択された状態を示している。
【００４５】
この状態では、患者の姓名を選択するための文字入力パッド３ｅが画面に表示されている。例えば、文字入力パッド３ｅの「ま」、「つ」、「し、「た」、「い」、「ち」、「ろ」、「う」とタッチすると氏名欄３ｆに患者名が表示される。決定キー３ｇにタッチすると、患者のカルテが表示される。
【００４６】
なお、操作キー３ｄは後述するタッチパネル３を強制的に清掃モードに移行させるための清掃キーである。
【００４７】
次に、図４〜図１１を参照しながら、情報端末装置１の動作を説明する。
【００４８】
図４は、本実施形態における情報端末装置１の通常使用時（通常モード時）の動作を示すフローチャートである。ここでいう、通常使用の動作とは情報端末装置１が病院の情報システムを利用している状態での主としてタッチパネルコントローラ１６の動作である。
【００４９】
ステップＳ１において、タッチパネルコントローラ１６がタッチパネル３へのタッチを検知する。すると、ステップＳ２において、タッチ領域判定部１６ａはタッチパネル３のどの領域がタッチされたかを判定し、タッチ度数計数部１６ｂは、領域ごとのタッチ度数を計数（加算）して、タッチ度数記憶部１６ｃに記憶する。
【００５０】
次にステップＳ３において、累積のタッチ度数Ｎを求める。次にステップＳ４において累積のタッチ度数Ｎが所定値Ｋ１に達しているかを判定する。ステップＳ４において、累積のタッチ度数Ｎが所定値Ｋ１に達していない場合（Ｎ）はステップＳ１に戻り、  ステップＳ１〜ステップＳ３の動作が繰り返される。ステップＳ４で累積のタッチ度数Ｎが所定値Ｋ１に達した場合（Ｙ）は、この情報がＣＰＵ１１に伝達され、ステップＳ５において、ＣＰＵ１１は、スクリーン清掃が必要である旨のメッセージを作成し、表示部２に表示させる。その後、情報端末装置１の動作は、通常モードから清掃モードに切り換えられる。
【００５１】
図５は、表示部２に表示されたメッセージの表示例を示す。なお、ＣＰＵ１１はメッセージを毎回作成してもよいが、作成することは必須ではない。たとえば、ＨＤＤ１３やＲＡＭ１４に、メッセージのデータを予め保持しておき、ＣＰＵ１１がそのデータを読み出してメッセージを表示してもよい。
【００５２】
なお、前述のメッセージを表示するタイミングは、ステップＳ７〜Ｓ８に示す方法によってもかまわない。すなわち、ステップＳ７において情報端末装置１が運転されている時間（運転時間）を積算して積算値Ｔとして保持し、ステップＳ８において、積算値Ｔが所定値Ｋ２に達したかを判断する方法である。「運転時間」とは、たとえば、情報端末装置１の起動時からの動作時間、複数の使用者が個別にログオンして情報端末装置１を利用する場合には各使用者のログオン時からの経過時間、または、前回の清掃実行時からの経過時間である。これらの時間の積算値ＴはＣＰＵ１１によって計時される。ＣＰＵ１１は、積算値Ｔと所定値Ｋ２とを比較することにより、運転時間に基づいて清掃モードへの移行の要否を判断すればよい。
【００５３】
なお、上記説明では、スクリーン清掃が必要か否かの判定を、タッチパネル３のタッチ度数の累計で行うとしたが、これに限定されるものではない。例えば、領域毎の最大のタッチ度数が予め設定した度数を超えるとスクリーン清掃が必要と判定し、清掃を促すメッセージを表示してもよい。
【００５４】
上述のように、清掃を促すメッセージ（警告）が表示されることにより、使用者は清掃のタイミングを容易に知ることができる。
【００５５】
一方、清掃を促すメッセージが情報端末装置１から提示されるか否かによらず、清掃モードへの移行を行ってもよい。たとえば、明らかに清掃が必要であると使用者が感じたときに、清掃キー３ｄをタッチすることで清掃モードをスタートしてもよい。清掃は、たとえば除菌剤を含んだクロスを手でタッチパネル３や操作ボタンに押し当て、またはこすることで行う。
【００５６】
図６は、本実施形態による情報端末装置１の清掃モード時の一連の動作を示すフローチャートである。
【００５７】
清掃モードは、情報端末装置１の電源がＯＮの状態で実行され、図５の表示に示す「はい」のキーにタッチするか、もしくは、任意のタイミングにおいて、図３のスクリーン清掃キー３ｄにタッチすることによりスタートする。あるいは、表示部２の下部に清掃モードユーティリティを起動するためのアイコン（図示せず）を表示しておき、使用者がこのアイコンにタッチすることによりスタートしてもよい。さらには、清掃終了後からの経過時間をタイマーで計測しておき、所定の時間が経過したら自動的に図５の表示をさせて使用者に清掃を促すようにしてもよい。
【００５８】
以下の一連の動作は、タッチパネルコントローラ１６から出力される、タッチされた部分領域を特定する信号、タッチされた度数を示す情報に基づいてＣＰＵ１１が実行する。
【００５９】
本実施形態では、通常モードにおいてＣＰＵ１１が少なくとも１つのプログラム（たとえばアプリケーションプログラム）が実行されており、実行中に、清掃モードに移行するとして説明する。
【００６０】
ステップＳ１１において、ＣＰＵ１１は、清掃モードへの移行時に実行されていたアプリケーションプログラムをロックし、表示部２上のタッチパネル３の操作キーによるアプリケーションプログラムの操作を禁止する。
【００６１】
図７は、アプリケーションプログラムの操作が禁止されたときの表示部２の表示例を示す。図７は、図３に示す画面の操作キー３ａ（本日診療）がタッチされ、予約の一覧が表示されている状況で、タッチ操作キー類の表示を消去した状況を示している。これにより、アプリケーションプログラムの操作が禁止される。なお、ここでいうアプリケーションプログラムのロックとは、あくまで操作キーの操作による動作をロック（禁止）するものであり、操作キーに関係しない動作はそのまま継続させてもよい。
【００６２】
次に、図６のステップＳ１２において、汚れパターン作成部１１ａが汚れパターンを作成する。図８（ａ）は、汚れパターンの一例を示す。この汚れパターンは、表示部２のすべての表示領域において等しい透明度を有している。透明度は、不透明でなければ、任意に設定可能である。予め設定された透明度でもよいし、図４で説明した領域ごとのタッチ度数の多さによって決定されてもよい。
【００６３】
すなわち、ＣＰＵ１１は、清掃モードがスタートした時点で、タッチパネルコントローラ１６にアクセスし、タッチ度数記憶部１６ｃに記憶されたタッチ度数に応じて透明度を決める。タッチ度数が大きい場合は透明度を低く（濁度が高い）、タッチ度数が小さい領域は透明度を高く（濁度が低い）設定する。ここでは、清掃前の汚れパターンの透明度は５０％として以下説明する。
【００６４】
なお、汚れパターン作成部１１ａは汚れパターンを毎回作成してもよいが、作成することは必須ではない。たとえば、ＨＤＤ１３やＲＡＭ１４に、透明度が異なる複数の汚れパターンの画像データを予め保持しておき、決定した透明度に応じて、ＣＰＵ１１がいずれかの画像データを読み出してもよい。
【００６５】
次に、ステップＳ１３において、ＣＰＵ１１は、作成した汚れパターンを表示部２のアプリケーションプログラムの実行画面に重畳して表示させる。この状態を図８（ｂ）に示す。図８（ｂ）は、図７のアプリケーションプログラムの実行画面に図８（ａ）の汚れパターンを重ねた状態であって、アプリケーションプログラムの実行画面を表示しながら、表面があたかも汚れているかのように表現したものである。上述のとおり汚れパターンは不透明ではないため、汚れパターンをアプリケーションプログラムの実行画面に重畳して表示しても、使用者は当該実行画面を視認可能である。
【００６６】
次に、ステップＳ１４において、タッチパネルコントローラ１６は、パネルタッチの有無を検知する。清掃作業を行うことにより、パネルタッチが発生する。タッチ領域判定部１６ａは、このパネルタッチを領域ごとに検知する。「領域」の大きさは、大きすぎない限り、任意に設定可能である。たとえば、表示部２の表示領域を構成する１画素を１領域として設定してもよいし、人の指の先端部分の平均的な面積を有する複数画素を１領域として設定してもよい。１領域が大きすぎると後述のステップＳ１５とＳ１６とを分けて設けた意義を失うため、たとえば４つ以上の領域を設けることが好ましい。
【００６７】
パネルタッチを検知した情報は、都度、ＣＰＵ１１に伝達され、次のステップＳ１５において、タッチ度数に応じて領域ごとの透明度が向上するように汚れパターンが修正され、表示部２に表示される。図９は、清掃中の表示例を示す。図９では、表示部２の表示領域は、使用者がクロス等でタッチパネル表面を拭いて清掃が終了した領域２１と、清掃が終了していない領域２２とに分かれている。そのうち清掃が終了した領域２１に関しては、重畳された汚れパターンの透明度は最大（本実施形態においては、例えば１００％）に上げられている。一方、清掃が終了していない領域２２に関しては、重畳された汚れパターンの透明度は５０％のままである。これにより、使用者は清掃のできていない箇所を一目で確認できるため、清掃忘れを防止でき、かつ、清掃効率が向上する。
【００６８】
また、清掃済みか否かの判断は、タッチ度数によって判断してもよい。例えば、同じ領域が２回以上タッチ（清掃）されて始めて透明度を１００％にしてもよい。次にステップＳ１６において、全ての領域において透明度が１００％になったかを判定する。
【００６９】
透明度が１００％に達した時点で、次のステップＳ１７においてスクリーン清掃が終了したことを告知するメッセージを表示部２上に表示する。図１０は、清掃終了時に表示部２に表示されるメッセージの表示例を示す。
【００７０】
次のステップＳ１８で使用者が清掃終了を選択しない場合（図１０で「いいえ」をタッチ）は、次のステップＳ１９でＣＰＵ１１が汚れパターンを再作成し、ステップＳ１３からステップＳ１９を繰り返す。このとき、汚れパターンの透明度は、例えば1回目と同じ
５０％でもよいし、１回目よりも透明度を上げて７０％で作成してもよい。
【００７１】
ステップＳ１８において、使用者が清掃終了を選択した場合（図１０で「はい」をタッチ）は、次にステップＳ２０に進む。ステップＳ２０では、ＣＰＵ１１は、アプリケーションプログラムの実行を再開し、同時に、アプリケーションプログラムの操作禁止を解除する。具体的には、表示部２に操作キーを表示し、アクティブ化する。また、タッチ度数記憶部１６ｃに記憶されたタッチ度数をゼロにリセットする。図１１はアプリケーションプログラムの動作が再開された表示部の状態を示す図である。図１１に示すように、アプリケーションプログラムの動作が再開されると、診断予約一覧の下に操作キー（たとえば「本日診療」の操作キー３ａ）が現れる。使用者はこれらの操作キーを操作して情報端末装置１の操作を再開する。
【００７２】
以上説明したように、本実施形態によれば、使用者はパネルの清掃状況を一目で確認できる。また、汚れパターンの表示が半透明であるため、アプリケーションプログラムの実行画面を覗きなが清掃でき、業務に支障を来すことが少ない。
【００７３】
なお、上記実施形態では、タッチパネルコントローラ１６がタッチ度数計数部１６ｂおよびタッチ度数記憶部１６ｃを有する場合について説明したが、これらの機能は必ずしも必要ない。その場合は、汚れパターン作成部１１ａで作成される汚れパターンの透明度はタッチ度数によらず常に一定とし、清掃モード時にクロス等でタッチされるとその領域の透明度を、例えば１００％にする等、透明度を上げるように変化させてもよい。
【００７４】
本実施形態によれば、アプリケーションを実行している通常モードから清掃モードに移行したとしても、不透明でない（たとえば半透明の）汚れパターンがアプリケーションの実行画面に重畳されて表示される。アプリケーションの操作入力は禁止されるものの、使用者は清掃モード中であっても常にアプリケーション画面の確認が可能である。使用者はアプリケーション画面の内容を確認しながら清掃を行うことができるため、それまで行っていたアプリケーションの利用が完全に中断されることはなくなる。
【００７５】
なお、上述したメッセージについてもアプリケーションの実行画面に重畳されるため、不透明ではない状態で表示されることが好ましい。
【００７６】
（実施形態２）
実施形態１では、汚れパターンはタッチパネル全体で同一の透明度としたが、本実施形態では、領域ごとに通常使用時（通常モード時）のタッチ度数に応じて透明度を変える。よくタッチする部分は汚れ易く、あまりタッチしない部分は汚れにくいため、汚れ易い部分の透明度を下げてより汚れを目立たせ、効率的に清掃を行うことを可能とする。
【００７７】
実施形態１で説明した、図１〜図５および図７は本実施形態でも同様であるので説明は省略する。
【００７８】
図１２は、本実施形態による情報端末装置１の清掃モード時の一連の動作を示すフローチャートである。本実施形態による情報端末装置１の動作が実施形態１と異なる点は、タッチ度数に応じて汚れパターンを作成するステップＳ２１およびタッチ領域毎に汚れパターンの透明度を上げるステップＳ２２である。
【００７９】
図１２のフローチャートに従って本実施形態の清掃フローを説明する。ステップＳ１１において、ＣＰＵ１１は、実行中のアプリケーションプログラムの実行をロックし、表示部２上のタッチパネル３の操作キーによるアプリケーションプログラムの操作が禁止される。
【００８０】
この状態は実施形態１の図７と同じである。次にステップＳ２１において、汚れパターン作成部１１ａが図１３（ａ）に示すような汚れパターンを作成する。この汚れパターンは、すべての領域において半透明であるが、個々の領域においては、透明度に差が設けられている。
【００８１】
この透明度の差は、図４で説明した領域ごとのタッチ度数によって決定される。
【００８２】
すなわち、ＣＰＵ１１は、清掃モードがスタートした時点で、タッチパネルコントローラ１６にアクセスし、タッチ度数記憶部１６ｃに記憶された領域ごとのタッチ度数を入手し、このタッチ度数に応じて領域ごとの透明度を決める。タッチ度数が大きい領域は透明度を低く（濁度が高い）、タッチ度数が小さい領域は透明度を高く（濁度が低い）設定する。このようにすることにより、例えばパッド３ｅ（図３）の中でもタッチ頻度の高い文字キーに対応する部分３２は濃い色で表示される一方、右隣りのタッチ頻度の低い文字キーに対応する部分３１は、より薄い色で表示される。このように、清掃開始時点においてタッチパネルの場所に応じた汚れ具合の違いが一目でわかるので、効率のよい清掃が可能である。よって清掃効率を上げることができる。
【００８３】
次に、ステップＳ１３において、ＣＰＵ１１は、作成した汚れパターンを表示部２のアプリケーションプログラムの実行画面に重畳して表示させる。この状態を図１３（ｂ）に示す。図１３（ｂ）は、図７のアプリケーションプログラムの実行画面に図１３（ａ）の汚れパターンを重ねた状態であって、アプリケーションプログラムの実行画面を表示しながら、表面の汚れの程度を表現したものである。
【００８４】
次に、ステップＳ１４において、タッチパネルコントローラ１６は、パネルタッチの有無を検知する。清掃作業を行うことにより、パネルタッチが発生するのでこれを領域ごとに検知する。タッチ領域判定部１６ａは、このパネルタッチを領域ごとに検知する。なお、領域の大きさの設定の仕方は実施形態１で説明したとおりである。
【００８５】
パネルタッチを検知した情報は、都度、ＣＰＵ１１に伝達され、次のステップＳ２２において、タッチ度数に応じて領域ごとの透明度が向上するように汚れパターンが修正され、表示部２に表示される。図１４は、清掃中の表示例を示す。図１４に示すように、清掃が進んでいる（タッチ度数が多い）領域３３は透明度が高くなっており、また、清掃が進んでいない（タッチ度数が少ない）領域３４は透明度が低い。これにより、清掃のできていない箇所を視認できる。このようにすれば、清掃状況をより視覚的に詳細に把握できるので清掃効率を上げることができる。
【００８６】
次にステップＳ１６において、全ての領域において透明度が１００％になったかを判定する。
【００８７】
この後のステップＳ１７〜ステップＳ２０の処理は実施形態１と同じであるので説明は省略する。
【００８８】
以上説明したように、本実施形態の情報端末装置は、通常の使用におけるタッチパネルのタッチ度数を領域ごとに記憶し、清掃モードが選択された場合に、記憶した領域毎のタッチ度数に応じ透明度が異なる半透明の汚れパターンを、休止させたアプリケーションプログラムの実行画面上に重畳させて表示させる。また、清掃モードにおいては、清掃により発生するタッチパネルの領域毎のタッチ度数により、領域毎の透明度を上げるようにしたものである。これにより、汚れの程度と清掃の進行度を表示部の部位毎に表示でき、このため表示部の表面を均一に清掃することが可能となる。
【００８９】
なお、上記実施形態において、タッチパネル３の全面の透明度が１００％に達した時点でスクリーン清掃が終了したことを告知するメッセージを表示するとしたが、使用者がクロス等で画面を拭くのをやめた時点（タッチが無くなってから所定時間経過後）で透明度１００％の領域（清掃が済んだ領域）が所定の面積または割合（たとえば９７％以上）を占めた場合に、上記告知メッセージを表示してもよい。
【００９０】
また、上記実施形態において、清掃日時、清掃者、完了または中断の判定等の清掃記録をログとして保存しておき、このログの内容にしたがって次回の清掃タイミングを決めるようにしてもよい。このログには、さらに清掃モードへの移行を促すメッセージを表示した時刻、および、清掃モードが終了したか否かの情報を含めてもよい。このログは、ネットワークインタフェース１７（図２）を介して、ＬＡＮに接続されたＰＣによって読み出されてもよい。ログの保存は、たとえばＨＤＤ１３またはＲＡＭ１４である。
【００９１】
また、上記実施形態において、透明度１００％の領域（清掃が済んだ領域）が所定の面積以下になった場合、この領域を目立たせるために透明度をさらに落としたり、目立つ色（たとえば背景色に応じて定まるその補色）で着色するようにしてもよい。
【００９２】
なお、情報端末装置１が複数の使用者によって利用される場合には、使用者の変更を検出する度に、清掃モードへの移行メッセージおよび／または清掃モードへの移行を行ってもよい。使用者の変更の検出方法は、種々考えられる。たとえば、複数の使用者が個別にログオンすることによって情報端末装置１を利用する場合には、ＣＰＵ１１は、使用者のログオンによって、使用者の変更を検出してもよい。または、情報端末装置１が使用されていない間、情報端末装置１のバッテリへの充電を行うためのクレードルに設置される場合には、クレードルから取り外されたことを外部から印加される電圧の有無によって検出し、それにより、使用者の変更を検出してもよい。さらに、バッテリ交換が行われたときにも、使用者が変更されたとして取り扱ってもよい。これらの検出により、清掃モードへ移行し、それまで表示されていた画面上に汚れパターンを重畳して表示することになる。
【００９３】
上述の実施形態では、タッチパネル３は静電容量方式であるとした。しかしながら、これは一例である。他には、たとえば、抵抗膜を利用する電圧検出方式、赤外光を利用して赤外光がさえぎられた縦横位置を検知する赤外線遮光方式、磁界を発生できる特別なペンによりタッチすることで、パネル側でその電磁エネルギーを受け取り、ペンの位置を検出する電磁誘導方式などが知られている。
【００９４】
電磁誘導方式のタッチパネルを利用すれば、直接ペンと接触しなくても、すなわちタッチパネルとペンとが離れていても、使用者の入力を受け取ることが可能である。使用者が電磁誘導方式のタッチパネルにペンを接触させなかったとしても、薬品の飛沫が付着する等の理由によってタッチパネルの表面は汚れることがある。したがって、電磁誘導方式のタッチパネルであっても、本願発明は有用である。
【００９５】
なお、図９に示すように、使用者が電磁誘導方式のタッチパネルのどの領域を清掃したかを検知するために、使用者がクロスに専用のペンを巻き付けて拭き取ってもよいし、磁界を発生する素材を含む専用のクロスを利用して拭き取ってもよい。
【産業上の利用可能性】
【００９６】
本発明は、携帯型の情報表示装置のほか、据え置き型の情報表示装置、例えば銀行のＡＴＭ装置などのタッチパネルを有する装置に利用することが可能である。
【符号の説明】
【００９７】
１    情報端末装置（通信機能を有する情報表示装置）
２    表示部
３    タッチパネル
３ａ，３ｂ，３ｃ，３ｄ，３ｇ    操作キー
３ｅ    仮名パッド
３ｆ    氏名欄
３ｇ    決定キー
４    電源スイッチ
１１    ＣＰＵ
１１ａ    汚れパターン作成部
１２    システムバス
１３    ＨＤＤ
１４    ＲＡＭ（メインメモリ）
１５    ディスプレイコントローラ
１６    タッチパネルコントローラ
１６ａ    タッチ領域判定部
１６ｂ    タッチ度数計数部
１６ｃ    タッチ度数記憶部
１７    ネットワークインタフェース
１８    電源制御部
【図１】
2010061654.tif 000003
【図２】
2010061654.tif 000004
【図３】
2010061654.tif 000005
【図４】
2010061654.tif 000006
【図５】
2010061654.tif 000007
【図６】
2010061654.tif 000008
【図７】
2010061654.tif 000009
【図８】
2010061654.tif 000010
【図９】
2010061654.tif 000011
【図１０】
2010061654.tif 000012
【図１１】
2010061654.tif 000013
【図１２】
2010061654.tif 000014
【図１３】
2010061654.tif 000015
【図１４】
2010061654.tif 000016